(57)【要約】【課題】結婚カップルが結婚式及び披露宴での衣装を着た自分の分身を端末上でシミュレーションする。【解決手段】挙式を希望する結婚カップルが使用するユーザ端末と、結婚関連業者の業者システムと、ブライダルシステム２０とをインターネットで接続する。ブライダルシステムは、少なくとも新郎新婦の婚礼やお色直し用の衣装のデータが格納された衣装ＤＢ２５と処理装置２１とを備える。処理装置は、挙式前の所定の日時になると、衣装ＤＢを検索して新郎新婦の婚礼及びお色直し用衣装について複数の候補サンプルを抽出して、ユーザ端末へ三次元表示にて送信する手段と、ユーザ端末から選択された衣装情報を結婚カップルの身体情報とともに受信すると結婚カップルの分身イメージ像を作成する手段と、分身イメージ像に選択された衣装を試着させた３Ｄの試着イメージ動画を作成する手段と、試着イメージ動画をユーザ端末へ送信する手段とを有する。【選択図】        図２
2004326532.tif 000002
【特許請求の範囲】
【請求項１】
挙式を希望する結婚カップルが使用するユーザ端末と、結婚関連業者の業者システムと、ブライダルシステムとをインターネットで接続したブライダルプロデュースシステムにおいて、
前記ブライダルシステムは、少なくとも、新郎新婦の婚礼やお色直し用の衣装のデータが格納された衣装データベースと、処理装置とを備え、
前記処理装置は、
挙式前の所定の日時になると、前記衣装データベースを自動的に検索して、新郎新婦の婚礼及びお色直し用衣装について複数の候補サンプルを抽出して、前記ユーザ端末へ三次元表示にて送信する手段と、
前記ユーザ端末から選択された衣装情報を結婚カップルの身体情報とともに受信すると結婚カップルの分身イメージ像を作成する手段と、
その分身イメージ像に前記選択された衣装を試着させた３Ｄの試着イメージ動画を作成する手段と、
前記試着イメージ動画をユーザ端末へ送信する手段とを有することを特徴とするブライダルプロデュースシステム。
【請求項２】
挙式を希望する結婚カップルが使用するユーザ端末と、結婚関連業者の業者システムと、ブライダルシステムとをインターネットで接続したブライダルプロデュースシステムにおいて、
前記ブライダルシステムは、少なくとも、該ブライダルシステムと予め契約された結婚式及び披露宴や婚礼衣装等を扱う結婚関連業者が格納された業者データベースと、新郎新婦の婚礼やお色直し用の衣装のデータが格納された衣装データベースと、処理装置とを備え、
前記処理装置は、
前記ユーザ端末からの申込みを受信すると、業者データベースを検索して関連する複数の業者システムへ条件を満たす式場／宴会場を問い合わせる手段と、
挙式前の所定の日時になると、前記衣装データベースを自動的に検索して、新郎新婦の婚礼及びお色直し用衣装について複数の候補サンプルを抽出して、前記ユーザ端末へ三次元表示にて送信する手段と、
前記ユーザ端末から選択された衣装情報を結婚カップルの身体情報とともに受信すると結婚カップルの分身イメージ像を作成する手段と、
その分身イメージ像に前記選択された衣装を試着させた３Ｄの試着イメージ動画を作成する手段と、
試着イメージ動画を前記選択されている式場及び宴会場のイメージ画像と合成し、かつ式場及び宴会場において動作させた試着イメージ映像をユーザ端末へ送信する手段とを有することを特徴とするブライダルプロデュースシステム。
【請求項３】
挙式を希望する結婚カップルが使用するユーザ端末と、結婚関連業者の業者システムと、少なくとも、新郎新婦の婚礼やお色直し用の衣装のデータが格納された衣装データベース及び処理装置を備えたブライダルシステムとをインターネットで接続したブライダルプロデュース方法であって、
挙式前の所定の日時になると、前記衣装データベースを自動的に検索して、新郎新婦の婚礼及びお色直し用衣装について複数の候補サンプルを抽出して、前記ユーザ端末へ三次元表示にて送信する段階と、
前記ユーザ端末から選択された衣装情報を結婚カップルの身体情報とともに受信すると結婚カップルの分身イメージ像を作成する段階と、
その分身イメージ像に前記選択された衣装を試着させた３Ｄの試着イメージ動画を作成する段階と、
前記試着イメージ動画をユーザ端末へ送信する段階とを有することを特徴とするブライダルプロデュース方法。
【請求項４】
挙式を希望する結婚カップルが使用するユーザ端末と、結婚関連業者の業者システムと、少なくとも、予め契約された結婚式及び披露宴や婚礼衣装等を扱う結婚関連業者が格納された業者データベース，新郎新婦の婚礼やお色直し用の衣装のデータが格納された衣装データベース及び処理装置を備えたブライダルシステムとをインターネットで接続したブライダルプロデュース方法であって、
前記ユーザ端末からの申込みを受信すると、業者データベースを検索して関連する複数の業者システムへ条件を満たす式場／宴会場を問い合わせる段階と、
挙式前の所定の日時になると、前記衣装データベースを自動的に検索して、新郎新婦の婚礼及びお色直し用衣装について複数の候補サンプルを抽出して、前記ユーザ端末へ三次元表示にて送信する段階と、
前記ユーザ端末から選択された衣装情報を結婚カップルの身体情報とともに受信すると結婚カップルの分身イメージ像を作成する段階と、
その分身イメージ像に前記選択された衣装を試着させた３Ｄの試着イメージ動画を作成する段階と、
試着イメージ動画を前記選択されている式場及び宴会場のイメージ画像と合成し、かつ式場及び宴会場において動作させた試着イメージ映像をユーザ端末へ送信する段階とを有することを特徴とするブライダルプロデュース方法。
【発明の詳細な説明】
【０００１】
【発明の属する技術分野】
本発明は結婚式の準備をＩＴによって推進するブライダルプロデュースシステムに関する。
【０００２】
【従来の技術】
結婚式は、多くの人にとっては初めて経験することであり、また多岐にわたる準備が必要でため、遺漏があったり、十分な時間がとれず本人達の希望通りの準備ができない面があった。
【０００３】
従来、この種の問題をＩＴの利用によって解決しようとする試みがなされており、結婚を目標にイベントとして設定している会員に対し、結婚関連業者を仲介することで、会員に対しては適切な時期に適切な段取り項目の進捗をチェックさせ、一方、結婚関連業者へはユーザの目標イベントに対する進捗状況に応じた営業活動を促すようにした「ネットワークを利用した目標別スケジュール案内システム」が提案されている（例えば、特許文献１参照）。
【０００４】
また、選択決定したウエディング計画に記録した結婚カップルの計画データから結婚関連サービス・施設・商品の提供事業者に直接注文を行う発注確認処理手段と、計画データの計画内容に含まれるサービス・施設・商品を提供事業者に希望条件を照会し複数の事業者から入札を受付け、希望に見合った最も条件の良い事業者を選択決定する入札仲介手段とを少なくとも備えた「結婚総合計画支援システム」も提案されている（例えば、特許文献２参照）。
【０００５】
【特許文献１】
特開２００１−２８２９４３（第１頁ー第４頁、図１）
【特許文献２】
特開２００２−４９７１０（第１頁ー第６頁、図１）
【０００６】
【発明が解決しようとする課題】
しかしながら、上述した従来技術では、結婚式のハイライトともいうべき結婚式及び披露宴において新郎新婦が着る衣装をネットワーク上ではカタログ映像でしか見ることができないため、結婚カップルはカタログ映像と自身の姿を想像で重ね合わせて衣装を決めざるを得ず、実際に着てみて期待を裏切られることが少なくないという問題点がある。
【０００７】
そこで、本発明の第１の目的は、結婚カップルが、結婚式及び披露宴での衣装を着た自分の分身を端末上でシミュレーションできるブライダルプロデュースシステムを提供することにある。
【０００８】
更に、本発明の第２の目的は、結婚カップルが、結婚式及び披露宴での衣装を着て、結婚式場および披露宴会場に立つ自分の分身を端末上でシミュレーションできるブライダルプロデュースシステムを提供することにある。
【０００９】
【課題を解決するための手段】
第１の本発明のブライダルプロデュースシステムは、挙式を希望する結婚カップルが使用するユーザ端末と、結婚関連業者の業者システムと、ブライダルシステムとをインターネットで接続したブライダルプロデュースシステムにおいて、ブライダルシステムは、少なくとも、新郎新婦の婚礼やお色直し用の衣装のデータが格納された衣装データベースと、処理装置とを備え、処理装置は、挙式前の所定の日時になると、衣装データベースを自動的に検索して、新郎新婦の婚礼及びお色直し用衣装について複数の候補サンプルを抽出して、ユーザ端末へ三次元表示にて送信する手段と、ユーザ端末から選択された衣装情報を結婚カップルの身体情報とともに受信すると結婚カップルの分身イメージ像を作成する手段と、その分身イメージ像に選択された衣装を試着させた３Ｄの試着イメージ動画を作成する手段と、試着イメージ動画をユーザ端末へ送信する手段とを有することを特徴とする。
【００１０】
本発明では、挙式前の所定の日時になると、処理装置は衣装データベースを自動的に検索して、新郎新婦の婚礼及びお色直し用衣装について複数の候補サンプルを抽出して、ユーザ端末へ三次元表示にて送信する。そして、ユーザ端末から選択された衣装情報を結婚カップルの身体情報とともに受信すると結婚カップルの分身イメージ像を作成する。更に、その分身イメージ像に選択された衣装を試着させた３Ｄの試着イメージ動画を作成し、試着イメージ動画をユーザ端末へ送信する。
【００１１】
また、第２の本発明のブライダルプロデュースシステムは、挙式を希望する結婚カップルが使用するユーザ端末と、結婚関連業者の業者システムと、ブライダルシステムとをインターネットで接続したブライダルプロデュースシステムにおいて、ブライダルシステムは、少なくとも、該ブライダルシステムと予め契約された結婚式及び披露宴や婚礼衣装等を扱う結婚関連業者が格納された業者データベースと、新郎新婦の婚礼やお色直し用の衣装のデータが格納された衣装データベースと、処理装置とを備え、処理装置は、ユーザ端末からの申込みを受信すると、業者データベースを検索して関連する複数の業者システムへ条件を満たす式場／宴会場を問い合わせる手段と、挙式前の所定の日時になると、衣装データベースを自動的に検索して、新郎新婦の婚礼及びお色直し用衣装について複数の候補サンプルを抽出して、ユーザ端末へ三次元表示にて送信する手段と、ユーザ端末から選択された衣装情報を結婚カップルの身体情報とともに受信すると結婚カップルの分身イメージ像を作成する手段と、その分身イメージ像に選択された衣装を試着させた３Ｄの試着イメージ動画を作成する手段と、試着イメージ動画を選択されている式場及び宴会場のイメージ画像と合成し、かつ式場及び宴会場において動作させた試着イメージ映像をユーザ端末へ送信する手段とを有することを特徴とする。
【００１２】
本発明では、処理装置は、ユーザ端末からの申込みを受信すると、業者データベースを検索して関連する複数の業者システムへ条件を満たす式場／宴会場を問い合わせる。また、挙式前の所定の日時になると、衣装データベースを自動的に検索して、新郎新婦の婚礼及びお色直し用衣装について複数の候補サンプルを抽出して、ユーザ端末へ三次元表示にて送信する。そして、ユーザ端末から選択された衣装情報を結婚カップルの身体情報とともに受信すると結婚カップルの分身イメージ像を作成する。更に、その分身イメージ像に選択された衣装を試着させた３Ｄの試着イメージ動画を作成する。更に、試着イメージ動画を選択されている式場及び宴会場のイメージ画像と合成し、かつ式場及び宴会場において動作させた試着イメージ映像をユーザ端末へ送信する。
【００１３】
【発明の実施の形態】
次に、本発明の実施の形態について図面を参照して説明する。
【００１４】
【実施例の構成】
本発明のブライダルプロデュースシステムは、図１に示すとおり、ユーザ端末１０，ブライダルシステム２０及び複数の業者システム３０より構成されており、これらはインターネット１００を介して相互に接続されている。
【００１５】
ユーザ端末１０は、挙式を希望するユーザが使用する端末であり、パソコンや携帯端末等の情報処理装置である。ユーザ端末１０は、インターネット１００を介して、結婚式場，披露宴会場及び二次会会場の検索や申込みを行うための機能と、ブライダルシステム２０からの情報や映像を表示する機能を保有する。この映像は、特に、新郎・新婦の個人情報を元にブライダルシステム２０において作成された新郎・新婦の分身に衣装を着せた状態で、かつ結婚式場，披露宴会場及び二次会会場の各場面を背景として３Ｄで動画表示される。
【００１６】
ブライダルシステム２０は、結婚式や披露宴を希望するユーザへの情報提供やユーザからの申込みを受け付けて業者システム３０へ申し込む機能を有する。
【００１７】
ブライダルシステム２０は、図２に示すように、処理装置２１とスケジュールＤＢ２２，ユーザＤＢ２３、業者ＤＢ２４、衣装ＤＢ２５及び婚礼メニューＤＢ２６より構成されている。
【００１８】
処理装置２１はサーバなどの情報処理装置であり、次の機能を有する。
１）ユーザ端末１０からの挙式予定日を受け付けて、挙式までのスケジュール表をユーザ端末１０へ送付する。
２）スケジュール表の日程に合わせてユーザ端末１０へ準備のための情報を自動的に送信する。
３）ユーザ端末１０からの結婚式の申込みを受け付けて、ユーザの希望する結婚式場や披露宴会場を業者システム３０へ依頼する。
４）ユーザ端末１０から希望する衣装とユーザの身体情報を受信して、ユーザの分身に衣装を着せた３Ｄ動画を作成し、結婚式場及び披露宴会場を背景にして立つ姿をユーザ端末１０へ送信する。
５）結婚式や披露宴の出席予定者へ招待状を送付する。
６）ユーザ端末１０からの二次会の要求を受信して、業者システム３０へ会場を予約する。
７）引き出物やブーケ、礼装小物などの情報をユーザ端末１０へ送付する。
【００１９】
スケジュールＤＢ２２は結婚式の予約から挙式までのスケジュールが格納されたデータベースであり、図９にスケジュールの一例を示す。
【００２０】
ユーザＤＢ２３はユーザ情報が格納されたデータベースであり、図１０にユーザ情報の一例を示す。
【００２１】
業者ＤＢ２４は、ブライダルシステム２０と予め契約された結婚式及び披露宴会場や婚礼衣装等を扱う業者が格納されたデータベースである。
【００２２】
衣装ＤＢ２５は新郎新婦の婚礼やお色直し用の衣装のデータが格納されたデータベースである。
【００２３】
婚礼メニューＤＢ２６は披露宴で出される料理メニューのデータが格納されたデータベースである。
【００２４】
業者システム３０は、ブライダルシステム２０に予め登録された結婚関連業者が保有するシステムであり、ブライダルシステム２０からの要求により、結婚式場や披露宴会場等の動画をユーザ端末１０へ送付する機能を保有する。
【００２５】
【実施例の動作】
次に、以上のように構成された本実施例の動作について、挙式申込み，式場探し，ドレスの決定，婚礼メニュー試食，招待状発送，二次回会場決定，ヘアメイク打合せ，挙式リハーサル打合せおよび最終確認の各フェーズに分けて、それぞれのシーケンス図に沿って詳細に説明する。
【００２６】
［挙式申込み］
本ブライダルプロデュースシステムのサービスを受けたいと考えるユーザは、ユーザ端末１０からインターネット１００を介してブライダルシステム２０へアクセスし、結婚式に関する情報の送付を依頼する（図５のステップＡ１）。
【００２７】
ブライダルシステム２０は、この要求を受信すると、インターネット１００を介して、図３に示すようなスケジュール表をユーザ端末１０へ送信する（ステップＡ２）。このスケジュール表は、挙式当日から逆算して、何ヶ月前には何をしなければならないかを列記しており、ユーザ端末１０に保存され適時にユーザによって参照され得る。また、ブライダルシステム２０は、ユーザ情報の送付を求めるためのユーザ情報入力用画面をも送信する（ステップＡ２）。
【００２８】
ユーザは、このユーザ情報入力用画面をユーザ端末１０に表示して、入力を要請されている各データを入力してユーザ情報としてブライダシステム２０へ送信する。図４は、このようにしてブライダシステム２０へ送付されるユーザ情報の一例を示し、新郎新婦の氏名，年齢、挙式予定／希望日、連絡先メールアドレス、出席人数、予算、結婚式や披露宴の形式等を含む。このようなユーザ情報の送付をもって、ユーザは挙式をブライダシステム２０へ申し込んだことになる（ステップＡ３）。
【００２９】
ブライダルシステム２０は、受信したユーザ情報をユーザＤＢ２３に格納し（ステップＡ４）、この後、ユーザ情報で指定されている挙式日から逆算して、スケジュール（図３）に合わせて順次に必要な情報をユーザ端末１０へ送信する。
【００３０】
［式場・会場探し］
挙式日の８ヶ月前になると、ブライダルシステム２０は、ユーザ情報で指定されている結婚式の予算（ＧＧ万円）と教会希望（▲４▼）という情報を元に業者ＤＢ２４を自動的に検索して、関連する複数の業者システム３０へ条件を満たす式場を問い合わせる（図６のステップＢ１）。複数の業者システム３０は、条件に適合する式場を選んで、その外観や内部の動画映像をインターネット１００経由でユーザ端末１０へ送信する（ステップＢ２）。
【００３１】
ユーザは、ユーザ端末１０が受信し表示した映像を見て気に入った教会（Ａ）を選択して、ブライダルシステム２０へ式場の予約を申込む（ステップＢ３）。これを受けて、ブライダルシステム２０は業者システム３０へ教会（Ａ）を予約する（ステップＢ４）。業者システム３０は教会（Ａ）を確保する（ステップＢ５）。
【００３２】
次に、挙式日の６ヶ月前になると、ブライダルシステム２０は、ユーザ情報で指定されている披露宴の予算（ＨＨＨ万円）と和風形式（▲５▼）という情報を元に業者ＤＢ２４を自動的に検索して、関連する複数の業者システム３０へ条件を満たす会場を問い合わせる（ステップＢ６）。複数の業者システム３０は、式場の場合と同様の手順で披露宴会場の動画映像をユーザ端末１０へ送信する（ステップＢ７）。
【００３３】
ユーザは、ユーザ端末１０が受信し表示した映像を見て気に入った会場（Ｂ）を選択して、ユーザ端末１０によりブライダルシステム２０へ会場の予約を申込む（ステップＢ８）。これを受けて、ブライダルシステム２０は業者システム３０へ会場（Ｂ）を予約する（ステップＢ９）。業者システム３０は会場（Ｂ）を確保する（ステップＢ１０）。
【００３４】
［ドレスの決定］
４ヶ月前になると、ブライダルシステム２０は、衣装ＤＢ２５を自動的に検索して、新郎新婦の婚礼及びお色直し用衣装について複数の候補サンプルを抽出して、ユーザ端末１０へ三次元（３Ｄ）表示にて送信する（図７のステップＣ１）。
【００３５】
ユーザは、その内から気に入った衣装を選択し、また結婚カップルの身長や体重等の体型データ、及び全身や顔写真の影像情報から成る身体情報とともにユーザ端末１０によりブライダルシステム２０へ送信する（ステップＣ２）。ブライダルシステム２０は、身体情報を受信すると、全身の影像と体型データとにより結婚カップルの体型イメージ像を作成し、それに顔写真を張り付けることによって結婚カップルの分身イメージ像を完成させる。
【００３６】
そして、その分身イメージ像に選択された衣装を試着させた３Ｄの試着イメージ動画を作成する。そして、先に選択されている式場及び宴会場のイメージ画像と合成し、かつ式場及び宴会場において動作させた試着イメージ映像をユーザ端末１０へ送信する（ステップＣ３）。なお、式場及び宴会場のイメージ画像は業者システム３０から取り寄せるものとする。
【００３７】
ユーザは、試着イメージ映像をユーザ端末１０に表示し、リアルな感覚で試着イメージ映像を見ることができる。すなわち、他人モデルの試着イメージではなく自分自身の試着イメージを、平面的ではなく立体的に、静的ではなく動的に、かつ写真店内ではなく式場及び宴会場において試着イメージ映像を見ることができる。この結果、実際の試着時や挙式・披露宴当日になって期待に反することになるのを防止できる。ユーザは気に入った衣装が見つかるまで、衣装選択を繰り返し（ステップＣ２）、ブライダルシステム２０はその都度に試着イメージ映像をユーザ端末１０へ送信する（ステップＣ３）。
【００３８】
ユーザは最終的に気に入った衣装を選択してブライダルシステム２０へ試着の申込みを送信する（ステップＣ４）。これを受けて、ブライダルシステム２０は、業者システム３０に衣装の試着予約を行い（ステップＣ５）、業者システム３０はその衣装の試着確保を行う（ステップＣ６）。ユーザは試着日に衣装を試着して衣装を決定する。
【００３９】
試着を終えたユーザーは、後日ユーザー端末１０より、決定した衣装の申込みをユーザ端末１０からブライダルシステム２０に送信する（ステップＣ７）。ブライダルシステム２０は、業者システム３０に対して決定した衣装の予約を行い（ステップＣ８）、業者システム３０はその衣装の確保を行う（ステップＣ９）。
【００４０】
［婚礼メニュー試食］
３ヶ月前になると、ブライダルシステム２０は、婚礼メニューＤＢ２６を自動的に検索して、メニュー情報を動画でユーザ端末１０へ送信する（図８のステップＤ１）。
【００４１】
ユーザは、メニュー情報をユーザ端末１０に表示して、気に入ったメニューを選択してブライダルシステム２０へ送信し、指定された期日内の都合の良い日を試食日としてブライダルシステム２０に試食の申込みを行う（ステップＤ２）。ブライダルシステム２０は業者システム３０に試食予約を行い（ステップＤ３）、業者システム３０は試食日を確保する（ステップＤ４）。ユーザは試食日に試食して上で婚礼メニューを決定する。
【００４２】
試食を終えたユーザーは、後日確定した婚礼メニューの申込みをユーザ端末１０からブライダルシステム２０に送信する（ステップＤ５）。ブライダルシステム２０は業者システム３０に確定したメニューの予約を行い（ステップＤ６）、業者システム３０はそのメニューの確保を行う（ステップＤ７）。
【００４３】
［招待状発送］
２ヶ月前になると、ブライダルシステム２０は、ユーザ端末１０へ結婚式と披露宴の出席者一覧の送付を依頼すると共に招待状サンプルの送信を行う（図９のステップＥ１）。
【００４４】
ユーザは、ユーザ端末１０において好みの招待状サンプルを選択し、発送先一覧表をブライダルシステム２０へ送信する（ステップＥ２）。ブライダルシステム２０は一覧表に基づいて，予め決められた形式で招待状を作成し、業者システム３０に発送依頼を行う（ステップＥ３）。業者システム３０は一覧表に基づいて作成された招待状の発送を行う（ステップＥ４）。
【００４５】
［結婚指輪決定］
２ヶ月前になると、ブライダルシステム２０は、結婚指輪を決定するために業者ＤＢ２４を自動的に検索し、登録されている指輪取扱い業者毎の結婚指輪のサンプル動画をユーザ端末１０へ送信る（図１０のステップＦ１）。
【００４６】
ユーザは、指輪のサンプル動画をユーザ端末１０に表示して、気に入った指輪を扱う業者への訪問予約をブライダルシステム２０へ送信する（ステップＦ２）。ブライダルシステム２０は当該業者システム３０に業者訪問の予約を行い（ステップＦ３）、業者システム３０は訪問日程の確保を行う（ステップＦ４）。
【００４７】
［二次会会場決定］
１７日前になると、ブライダルシステム２０は、二次会の開催有無確認をユーザ端末１０へ送信する（図１１のステップＧ１）。ユーザは、二次会開催有無の回答と、開催する場合は出席人数を考慮して希望する会場情報の要求をブライダルシステム２０へ送信する（ステップＧ２）。ブライダルシステム２０は、業者ＤＢ２４を検索し、業者システム３０へ希望条件に該当する会場の問合せを送信する（ステップＧ３）。
【００４８】
業者システム３０は、希望条件に該当する会場の情報を動画にて、ユーザー端末１０へ送信する（ステップＧ４）。ユーザは気に入った会場が見つかるまで会場情報要求（ステップＧ２）を繰り返し、気に入った会場が見つかった場合は会場の申込みをブライダルシステム２０へ送信する（ステップＧ５）。ブライダルシステム２０は、申込みのあった会場の予約を業者システム３０に行い（ステップＧ６）、業者システム３０は会場の確保を行う（ステップＧ７）。
【００４９】
［ヘアメイク打合せ］
１０日前になると、ブライダルシステム２０は、ユーザ端末１０へヘアメイクサンプルの動画を送信すると共にヘアメイクの打合せ要請を送信する（図１２のステップＨ１）。ユーザ端末１０はサンプル内から気に入ったヘアメイク業者に対しての打合せ申込みをブライダルシステム２０へ送信する（ステップＨ２）。ブライダルシステム２０は指定されたヘアメイク業者の予約を行い（ステップＨ３）、業者システム３０はヘアメイク業者の確保を行う（ステップＨ４）。
【００５０】
［挙式リハーサル打合せ・最終確認］
１週間前になると，ブライダルシステム２０は、挙式リハーサルの案内をユーザ端末１０へ自動的に送信する（図１３のステップＩ１）。ユーザは、ユーザ端末１０上で指定期日内の都合の良い日を選択して、リハーサルの申込みをブライダルシステム２０へ送信する（ステップＩ２）。ブライダルシステム２０は、指定日のリハーサル予約を行い（ステップＩ３）、業者システム３０はリハーサル日の確保を行う（ステップＩ４）。
【００５１】
［最終確認］
挙式前日には、ブライダルシステム２０は、最終確認の案内を自動的にユーザー端末１０へ送信する（ステップＩ５）。ユーザは、ユーザ端末１０上で最終確認を行い、すべての処理を終了する（ステップＩ６）。
【００５２】
【発明の効果】
本発明によれば、結婚カップルは、結婚式及び披露宴での衣装を着た自分の分身を端末上で動画でシミュレーションできるため、リアルな感覚で試着イメージ映像を見ることができ、その結果、実際の試着時や挙式・披露宴当日になって期待に反することになるのを防止できるという第１の効果を得ることができる。
【００５３】
また、結婚カップルは、結婚式及び披露宴での衣装を着て、結婚式場および披露宴会場に立つ自分の分身を端末上で動画でシミュレーションできるので、背景をも加味したリアルさで衣装を選択できるという第２の効果を得ることができる。
【図面の簡単な説明】
【図１】本発明のブライダルプロデュースシステムの構成図
【図２】ブライダルシステム２０の構成図
【図３】結婚式までのスケジュール表の一例を示す図
【図４】ユーザ端末１０からの申込み内容の一例を示す図
【図５】本ブライダルプロデュースシステムにおける挙式申込みのフローチャート
【図６】本ブライダルプロデュースシステムにおける式場・会場探しのフローチャート
【図７】本ブライダルプロデュースシステムにおけるドレスの決定のフローチャート
【図８】本ブライダルプロデュースシステムにおける婚礼メニュー試食のフローチャート
【図９】本ブライダルプロデュースシステムにおける招待状発送のフローチャート
【図１０】本ブライダルプロデュースシステムにおける結婚指輪決定のフローチャート
【図１１】本ブライダルプロデュースシステムにおける二次会会場決定のフローチャート
【図１２】本ブライダルプロデュースシステムにおけるヘアメイク打合せのフローチャート
【図１３】本ブライダルプロデュースシステムにおける挙式リハーサル打合せ・最終確認のフローチャート
【符号の説明】
１０        ユーザ端末
２０        ブライダルシステム
３０        業者システム
１００      インターネット
【図１】
2004326532.tif 000003
【図２】
2004326532.tif 000004
【図３】
2004326532.tif 000005
【図４】
2004326532.tif 000006
【図５】
2004326532.tif 000007
【図６】
2004326532.tif 000008
【図７】
2004326532.tif 000009
【図８】
2004326532.tif 000010
【図９】
2004326532.tif 000011
【図１０】
2004326532.tif 000012
【図１１】
2004326532.tif 000013
【図１２】
2004326532.tif 000014
【図１３】
2004326532.tif 000015